(57)【要約】【課題】ケーブルを接続する接続部及び長さ調節部が互いに分離形成され、シート側ケーブルと接続部との着脱が容易なケーブル接続装置を提供すること。【解決手段】第１方向側のシートの折り畳みユニットと接続された第１ケーブルと第１方向と反対の第２方向側でスイッチ部と接続された第３ケーブルを接続するケーブル接続装置は、第１ケーブル及び第２ケーブルの一端を接続し、第１または第２方向にスライド移動可能なように内部に形成される接続ユニットを含む接続部と、接続部の第２方向側に形成され、第２ケーブルの他端及び第３ケーブルを互いに接続するように形成される長さ調節部を含み、第１ケーブルに結合された接続突起に形成された係止段は、接続ユニットの第１方向側の内部に挿入され、接続ユニットの内側面に形成された係止板を弾性変形させた後、復元される係止板に固定される。【選択図】図１
2020143787.tif 000002
【特許請求の範囲】
【請求項１】
第１方向側のシートの折り畳みユニットと接続された第１ケーブル及び前記第１方向と反対の第２方向側でスイッチ部と接続された第３ケーブルを接続するケーブルの接続装置であって、
前記第１ケーブル及び第２ケーブルの一端を接続し、前記第１方向または前記第２方向にスライド移動が可能なように内部に形成される接続ユニットを含む接続部と、
前記接続部の前記第２方向側に形成され、前記第２ケーブルの他端及び前記第３ケーブルを互いに接続するように形成される長さ調節部と、を含み、
前記第１ケーブルに結合された接続突起に形成された係止段は、前記接続ユニットの前記第１方向側の内部に挿入され、前記接続ユニットの内側面に形成された係止板を弾性変形させた後、復元される前記係止板に固定されることを特徴とするケーブル接続装置。
【請求項２】
前記接続部は、
外側面から内側に向かって加圧されて弾性移動すると、前記接続ユニットの前記第２方向側の空間に挿入され、前記接続ユニットのスライド移動を遮断するように形成されるストッパーをさらに含むことを特徴とする請求項１に記載のケーブル接続装置。
【請求項３】
前記係止板は、
一端は前記接続ユニットの外側面に結合し、他端は前記接続ユニットの内部及び前記第２方向に向かって斜めに延び、前記第１方向に向かって第１傾斜面が形成されることを特徴とする請求項２に記載のケーブル接続装置。
【請求項４】
前記係止段は、
一端は前記係止段の外側から前記第１方向に向かって拡張延長されるように形成され、前記第１傾斜面に対応する第２傾斜面が形成され、他端は前記第２傾斜面の外側から内側に向かって陥没し、前記第１方向に向かって係止面が形成され、
前記第２傾斜面が前記第２方向に向かって移動し、前記第１傾斜面を押し出し、所定の距離だけ移動すると、前記係止板の他端が元の位置に弾性移動しながら前記係止面に当接することを特徴とする請求項３に記載のケーブル接続装置。
【請求項５】
前記接続部は、
一端は前記接続ユニットを囲むように形成され、他端は前記第２方向に向かって円筒状に延びるように形成される第１ケースと、
前記第１及び第２ケーブルのそれぞれとスライド移動するように結合し、前記第１ケースの一端及び他端のそれぞれと結合する第２及び第３ケース、とをさらに含むことを特徴とする請求項２に記載のケーブル接続装置。
【請求項６】
前記長さ調節部は、
前記第２ケーブルの他端と結合し、外側に付着ユニットが形成された移動ユニットと、
一端の一部分は前記移動ユニットの外側面を囲み、前記移動ユニットとスライド移動するように結合し、他端は一端から前記第２方向に向かって延びて前記第３ケーブルと結合するように形成される第４ケースと、
前記第４ケース及び前記付着ユニットの間に挿入されて前記第４ケースの一端の内側面及び前記付着ユニットと結合して前記移動ユニットのスライド移動を遮断するフック、とを含むことを特徴とする請求項１に記載のケーブル接続装置。
【請求項７】
前記長さ調節部は、
一端は前記移動ユニットに結合し、他端は前記第２方向に向かって延びて前記第４ケースの他端の内側面に結合するスプリング、をさらに含むことを特徴とする請求項６に記載のケーブル接続装置。
【発明の詳細な説明】
【技術分野】
【０００１】
本発明は、接続装置に係り、ケーブルを互いに接続させるケーブル接続装置に関する。
【背景技術】
【０００２】
本明細書で他に表示されない限り、本識別項目で説明する内容は本出願の請求範囲に対する従来技術ではなく、また、本識別項目に記載されているという理由で従来技術であると認められるものではない。
【０００３】
近時、車両内部の空間活用のためにシートの折り畳み機能を提供してトランクスペースを拡張させたり、車両の内部で搭乗者が多用途で便利に活用できる空間を提供している。
【０００４】
また、車両を利用する搭乗者のキャンプ用品やレジャー用品のための拡張スペースの必要性に応じて、トランクスペース及びシートの折り畳みによる車両内部の空間が拡張しつつあり、車両もセダンより空間活用性に優れたＳＵＶの販売量が増加している。
【０００５】
したがって、容易に車両内部の２列または３列シートを折り畳んでトランクスペースを拡張させるためには、シートの折り畳みユニットから延びたケーブルとトランク側に配置されているスイッチ部とを接続装置を通じて接続する必要がある。
【０００６】
しかし、トランク側に配置されるスイッチ部と２列または３列シート間の距離が遠く、車両の種類によってシートの折り畳みユニットから延びたケーブルとスイッチ部間の距離の差が発生するため、弾力的に長さが調節され、且つシートから延びたケーブルと簡単に着脱可能な接続装置が必要である。
【０００７】
これに関連して、韓国特許公報第１０−１５３７９７５号は、車両のシート固定装置用のリリースケーブル結束構造を開示しており、韓国公開特許公報第１０−２０１６−００１９６２０号は、車両用トランクリッドラッチのケーブル接続装置を開示している。
【０００８】
しかし、従来のケーブル接続装置の構造は、車両の２列または３列シートとかなりの距離を置いて配置されるトランク側スイッチ部との間のケーブルを容易に接続する構造は開示していない。
【先行技術文献】
【特許文献】
【０００９】
【特許文献１】韓国特許公報第１０−１５３７９７５号
【特許文献２】韓国公開特許公報第１０−２０１６−００１９６２０号
【発明の概要】
【発明が解決しようとする課題】
【００１０】
本発明の目的は、ケーブルを接続する接続部及び長さ調節部が互いに分離するように形成され、シート側ケーブルと接続部の着脱が容易なケーブル接続装置を提供することにある。
【００１１】
また、上述したような技術的課題に限定せず、以下の説明からまた別の技術的課題が導き出される可能性があることは自明である。
【課題を解決するための手段】
【００１２】
本発明の一実施形態によれば、第１方向側のシートの折り畳みユニットと接続された第１ケーブル及び前記第１方向とは反対の第２方向側でスイッチ部と接続された第３ケーブルを接続するケーブル接続装置は、前記第１ケーブル及び第２ケーブルの一端を接続し、前記第１または第２方向にスライド移動が可能なように、内部に形成される接続ユニットを含む接続部及び前記接続部の前記第２方向側に形成され、前記第２ケーブルの他端及び前記第３ケーブルを相互に接続するように形成されている長さ調節部を含み、前記第１ケーブルに結合した接続突起に形成された係止段は前記接続ユニットの前記第１方向側の内部に挿入され、前記接続ユニットの内側面に形成された係止板を弾性変形させた後、復元される前記係止板に固定される。
【００１３】
また、前記接続部は、外側面から内側に向かって加圧されて弾性移動すると、前記接続ユニットの前記第２方向側の空間に挿入され、前記接続ユニットのスライド移動を遮断するように形成されるストッパーをさらに含むことができる。
【００１４】
また、前記係止板は、一端は前記接続ユニットの外側面に結合し、他端は前記接続ユニットの内部及び前記第２方向に向かって斜めに延びて前記第１方向に向かって第１傾斜面が形成されることができる。
【００１５】
また、前記係止段は、一端は前記係止段の外側で前記第１方向に向かって拡張延長するように形成され、前記第１傾斜面に対応する第２傾斜面が形成され、他端は前記第２傾斜面の外側から内側に向かって陥没し、前記第１方向に向かって係止面が形成され、前記第２傾斜面が前記第２方向に向かって移動し、前記第１傾斜面を押し出し、所定の距離だけ移動すると、前記係止板の他端が元の位置に弾性移動しながら前記係止面に当接することができる。
【００１６】
また、前記接続部は、一端は前記接続ユニットを囲むように形成され、他端は前記第２方向に向かって円筒状に延びるように形成される第１ケース及びそれぞれが前記第１及び第２ケーブルのそれぞれとスライド移動するように結合し、それぞれが前記第１ケースの一端及び他端のそれぞれと結合する第２及び第３ケースをさらに含むことができる。
【００１７】
また、前記長さ調節部は、前記第２ケーブルの他端と結合し、外側に付着ユニットが形成された移動ユニット、一端の一部分は、前記移動ユニットの外側面を囲み、前記移動ユニットとスライド移動するように結合し、他端は、一端から前記第２方向に向かって延びて前記第３ケーブルと結合するように形成される第４ケース及び前記第４ケースと前記付着ユニットとの間に挿入されて前記第４ケースの一端の内側面及び前記付着ユニットと結合して前記移動ユニットのスライド移動を遮断するためのフックを含むことができる。
【００１８】
また、前記長さ調節部は、一端は前記移動ユニットに結合し、他端は前記第２方向に向かって延びて前記第４ケースの他端の内側面に結合するスプリングをさらに含むことができる。
【発明の効果】
【００１９】
本明細書に開示された一実施形態によれば、ケーブル接続装置は、折り畳みシートを折り畳むために使用されるスイッチ部と接続された状態で長さ調節が可能であり、シートフレームの折り畳みユニットとの接続が容易であるという長所がある。
【００２０】
また、ケーブル接続装置は、小さな円筒状に形成され、車体フレームに取付けが容易で、ケーブルの張り調整のための移動が容易であり、係止段結合方式で迅速にシートフレーム側ケーブルとの接続が可能であるという長所がある。
【００２１】
上述した本発明の効果は、発明者の認識の有無に関わらず、記載された内容の構成によって当然発揮されるものであり、記載された内容による幾つかの効果であるだけであって、発明者が把握または実在するすべての効果を記載したものと認められてはならない。
【００２２】
また、本発明の効果は、明細書の全体的な記載によってさらに把握される必要があるもので、例え明示的な文章で記載されていなくても記載内容が属する技術分野で通常の知識を有する者が、本明細書を通じて、そのような効果があるものと認めることができる効果であれば、本明細書に記載された効果とみなされなければならない。
【図面の簡単な説明】
【００２３】
【図１】本発明の一実施形態に係るケーブル接続装置の使用状態図である。
【図２】図１の接続部の一部分の斜視図及びＩ−Ｉ´に沿って切断した断面図である。
【図３】図１の接続部を示す斜視図である。
【図４】図３の接続部をＩＩ‐ＩＩ´に沿って切断した断面図である。
【図５】図３の接続部をＩＩＩ‐ＩＩＩ´に沿って切断した断面図である。
【図６】図１の接続部に形成された接続ユニットのコネクタの斜視図である。
【図７】図１の長さ調節部の斜視図であり、（ａ）は上面視斜視図であり、（ｂ）は下面視斜視図である。
【図８】図１の長さ調節部の移動ユニットを示す分解斜視図である。
【図９】図７の長さ調節部の断面図であり、（ａ）は図７（ａ）に示すＩＶ‐ＩＶ´に沿って切断した断面図であり、（ｂ）は図７（ｂ）に示すＶ‐Ｖ´に沿って切断した断面図である。
【発明を実施するための形態】
【００２４】
以下、添付図面を参照して、本発明の望ましい実施形態によるケーブル接続装置の構成、作動及び作用効果について考察する。参考として、以下の図面において、各構成要素は便宜及び明確性のために省略または概略的に図示され、各構成要素の大きさは、実際の大きさを反映するものではなく、また明細書全体に亘り同一の参照符号は同一の構成要素を指し、個別の図面で同一の構成に対する図面符号は省略することとする。
【００２５】
図１は、本発明の一実施形態に係るケーブル接続装置の使用状態図を示す。
【００２６】
図１に示すように、ケーブル接続装置１００は、第２ケーブル２０、接続部２００、長さ調節部４００を含む。
【００２７】
ケーブル接続装置１００の一端は、第１ケーブル１０を介してシートフレーム３に結合し、シートフレーム３を折り畳んだり、広げたりして搭乗者が着座することができる空間を提供できるように形成される折り畳みユニット１と接続される。
【００２８】
ケーブル接続装置１００の他端は、車両のトランク側に配置され、接続された第３ケーブル３０を第２方向６に向かって引張ったり、第２方向６とは反対の第１方向５に向かって押し出すスイッチ部２と第３ケーブル３０を介して互いに接続される。
【００２９】
ケーブル接続装置１００を車両に取付ける作業者または搭乗者がスイッチ部２を作動させて第３ケーブル３０を第２方向６に向かって引張ると、ケーブル接続装置１００の一部が第２方向６に向かって移動しながら第１ケーブル１０を第２方向６に向かって引張ることにより折り畳みユニット１を作動させる。
【００３０】
もし、折り畳みユニット１の作動によりシートフレーム３が折り畳まれてトランクスペースとシートフレーム３上部の空間が繋がった状態で、折り畳みユニット１がモータの駆動で作動する構造である場合、作業者または使用者は再びスイッチ部２を作動させてシートフレーム３を上方に向けて広げ、シートフレーム３の前方に着座スペースを設けることができる。
【００３１】
したがって、作業者または使用者は、スイッチ部２を駆動させ、ケーブル接続装置１００を介して第１ケーブル１０と接続された第３ケーブル３０を第２方向６に向かって移動させる単純な作動でシートフレーム３を折り畳み、そして広げることができる。
【００３２】
また、接続部２００及び長さ調節部４００は、第２ケーブル２０を挟んで互いに分離されて第３ケーブル３０側に形成されることから、接続部２００を第１ケーブル１０の先端と接続させる作業の後にトランク側に位置する第３ケーブル３０と長さ調節部４００を接続する過程で、ケーブル接続装置１００自体の長さ調節が可能で、作業における利便性が改善できる。
【００３３】
また、接続部２００は、第１ケーブル１０の先端と結合する過程で、接続部２００の外側を加圧して第１ 方向５または第２方向６に内部で移動が可能なユニットの移動を制限し、移動が制限された前記ユニットを第１ケーブル１０の先端に結合される係止段が形成される接続突起と容易に結合させることができるという長所がある。
【００３４】
図２は図１の接続部の一部分の斜視図及びＩ−Ｉ´に沿って切断した断面図である。図３は図１の接続部を示す斜視図である。図４は図３の接続部をＩＩ‐ＩＩ´に沿って切断した断面図である。図５は図３の接続部をＩＩＩ‐ＩＩＩ´に沿って切断した断面図である。図６は図１の接続部に形成された接続ユニットのコネクタの斜視図である。
【００３５】
図２乃至６に示すように、接続部２００は、接続突起２１０、接続ユニット２２０、第１ケース２３０、第２ケース２４０及び第３ケース２６０を含む。
【００３６】
接続部２００の一端は、第１ケーブル１０の先端に結合する接続突起２１０を介して第１ケーブル１０と着脱が可能なように結合され、他端は第２方向６に向かって延び、第２ケーブル２０と着脱が可能なように結合される。
【００３７】
接続部２００は、接続突起２１０と第１方向５または第２方向６に向かってスライド移動が可能なように結合し、第２ケーブル２０の一端に形成された突出部２１と第１方向５または第２方向６に向かってスライド移動が可能なように結合する。
【００３８】
接続突起２１０は係止段２１２を含み、係止段２１２には第２傾斜面２１３及び係止面２１４が形成される。
【００３９】
接続突起２１０の一端の外側には係止段２１２が形成され、他端は階段状に第１方向５に向かって縮小して延び、第１ケーブル１０を囲む形で第１ケーブル１０と結合する。
【００４０】
係止段２１２の第２方向６側の外側面に該当する一端には、係止段２１２の外側から第１方向５に向かって拡張して延びる第２傾斜面２１３が形成され、係止段２１２の他端は、第２傾斜面２１３の外側で接続突起２１０の中央に該当する内側に向かって陥没して第１方向５に向かう係止面２１４が形成される。
【００４１】
図４を参照すると、第１ケース２３０は、係止段２３２、２３４、２３５及びストッパー２３６、２３７を含む。
【００４２】
第１ケース２３０の一端は、接続突起２１０を囲む円筒状に形成され、他端は内部に配置されている接続ユニット２２０を囲んで第２方向６に向かって延び、第２ケーブル２０を囲んで第３ケース２６０に着脱が可能なように結合する。
【００４３】
第１ケース２３０の一端は、第２ケース２４０の内部に一部分が挿入されて第２ケース２４０と着脱可能なように結合し、第１ケース２３０の他端は、第３ケース２６０の内部に挿入されながら第３ケース２６０と着脱が可能なように結合する。
【００４４】
第１乃至第３ケース２３０、２４０、２５０は、互いに結合した状態でそれぞれの外側面と面一となり、結合した状態の外側面は、平らな円筒状に形成されて車両の内部に取付ける過程で車両内部の省スペースが可能であり、車両内部に取付けられた状態でのスライド移動がスムーズで、ケーブル接続装置１００の取付けが容易であるという長所がある。
【００４５】
係止段２３２は、第１ケース２３０の一端の外側面を囲むリング状に第１ケース２３０の一端の外側面から外方に向かって突出するように形成され、第２ケース２４０が第２方向６に向かって移動すると、弾性変形しながら第２ケース２４０の内側面に形成された結合溝２４２に挿入されて第２ケース２４０と係止段結合する。
【００４６】
係止段２３４、２３５は、第１ケース２３０の他端の外側面からそれぞれが両側に向かって突出するように形成され、それぞれの傾斜面は第２方向６及び内側に向かって延びるように形成される。
【００４７】
係止段２３４、２３５は、第２方向６側に位置する第３ケース２６０の内部に挿入され、第３ケース２６０の両側にそれぞれ形成されている係止片２６２、２６４に形成された第１孔２６３及び第２孔２６５にそれぞれ挿入され、係止片２６２、２６４のそれぞれと着脱可能に結合する。
【００４８】
図５を参照すると、ストッパー２３６の一端は、第１ケース２３０の外側上部を貫通して第１ケース２３０の内部空間と外部を連結する外側溝２３６ａの第２方向６側の第１ケース２３０の内側面に接続され、他端は外側溝２３６ａから第１方向５に向かって延び、他端の一部分が上方に向かって突出している。
【００４９】
当該作業者または使用者は、ストッパー２３６の他端を第１ケース２３０の内部空間に向かって押し出すと、ストッパー２３６の他端が第１ケース２３０の内側に移動し、ストッパー２３６に加わる圧力を回収すると、ストッパー２３６の他端は元の位置に移動する。
【００５０】
ストッパー２３７の一端は、第１ケース２３０の外側下部を貫通して第１ケース２３０の内部空間と外部を連結する外側溝２３７ａの第２方向６側の第１ケース２３０の内側面に接続され、他端は外側溝２３７ａから第１方向５に向かって延び、他端の一部分が下方に向かって突出している。
【００５１】
当該作業者または使用者は、ストッパー２３７の他端を第１ケース２３０の内部空間に向かって押し出すと、ストッパー２３７の他端が第１ケース２３０の内側に移動し、ストッパー２３７に加わる圧力を回収すると、ストッパー２３７の他端は元の位置に移動する。
【００５２】
図４及び５を参照すると、第２ケース２４０の一端は、第１ケーブル１０をカバーする外皮１１を囲む形で第１ケーブル１０と結合し、他端は第２方向６に向かって拡張され、円筒状に延び、他端には第１方向５に向かって陥没した第１溝２４１が形成される。
【００５３】
第２ケース２４０の第１溝２４１の内部に該当する内側面には、接続突起２１０が配置されて第１ケーブル１０と結合し、接続突起２１０は第１ケーブル１０と結合した状態で、第１方向５または第２方向６に向かって移動が可能で、第１ケーブル１０と共に第２方向６に移動して第１溝２４１からの離脱が可能である。
【００５４】
すなわち、外皮１１及び外皮１１と結合した第２ケース２４０は、第１ケーブル１０の延長方向に沿って第１方向５または第２方向６に向かってスライド移動が可能なように形成される。
【００５５】
そして、当該作業者または使用者は、接続突起２１０を第１ケース２３０の内部に配置される接続ユニット２２０と結合させる過程で、第２ケース２４０と外皮１１を第１方向５に向かって移動させて接続突起２１０を外部に露出させ、接続突起２１０を第２方向６に向かって移動させて接続ユニット２２０と容易に結合させることができる。
【００５６】
第２ケース２４０の第１ケーブル１０を囲む外側面は、第１ケーブル１０及び第２方向６に向かって傾斜するように拡張され、曲面を形成し、車両の狭い空間に接続部２００を取付け、容易に移動させることができ、作業における利便性が改善される。
【００５７】
第３ケース２６０は、係止片２６２、２６４を含む。
【００５８】
第３ケース２６０の一端は、第１ケース２３０の他端の外側の一部分を囲んで係止段結合される形で第１ケース２３０と結合し、他端は第２方向６に向かって縮小して所定の距離だけ延びる。
【００５９】
第３ケース２６０の他端は、第３ケース２６０の第２方向６側の第２ケーブル２０の外側を囲む外皮２２と結合して第２ケーブル２０の延長方向に沿ってスライド移動が可能である。
【００６０】
第３ケース２６０の第２ケーブル２０を囲む外側面は、第２ケーブル２０及び第１方向５に向かって傾斜するように拡張延長されて曲面を形成し、車両の狭い空間に接続部２００を取付け、容易に移動させることができ、作業における利便性が改善される。
【００６１】
図３及び４を参照すると、係止片２６２の一端は、第３ケース２６０の一側の端に接続され、他端は一側に向かって断面が半円形状に曲がったプレート状に第１方向５に向かって延び、中央には、係止片２６２を貫通する四角形の第１孔２６３が形成される。
【００６２】
係止片２６４の一端は、第３ケース２６０の他側の端に接続され、他端は他側に向かって断面が半円形状に曲がったプレート状に第１方向５に向かって延び、中央には係止片２６４を貫通する四角形の第２孔２６５が形成される。
【００６３】
したがって、第３ケース２６０が第１方向５に向かって移動すると、係止片２６２、２６４のそれぞれに形成された第１孔２６３及び第２孔２６５に係止段２３４、２３５がそれぞれ挿入され、第３ケース２６０は第１ケース２３０と係止段結合する。
【００６４】
また、第１ケース２３０の一端及び他端のそれぞれに形成された係止段２３２、２３４、２３５が、結合溝２４２、第１孔２６３及び第２孔２６５のそれぞれに挿入された状態で、第２ケース２４０の他端の外側面、第１ケース２３０の外側面、係止片２６２、２６４の外側面、係止段２３４、２３５の外側面及び第３ケース２６０の一端外側面は、互いに連結して滑らかな円筒状に形成される。
【００６５】
接続部２００は、外側面の表面が滑らかな円筒状に形成されていることから、接続部２００を車両内部の限られた空間に取付け、取付け過程でスライド移動する場合の作業における利便性が改善されるという長所がある。
【００６６】
図３乃至５を参照すると、接続ユニット２２０は、係止板２２２、２２３、２２４及びコネクタ２２６を含む。
【００６７】
接続ユニット２２０の一端は、内部空間が第１方向５に向かって開放された円筒状に形成され、他端は第２方向６に向かって所定の距離だけ延びて第２ケーブル２０の一端に形成された突出部２１と結合し、第１方向５及び上方に向かって開放された円筒状の挿入溝２２５が形成される。
【００６８】
接続ユニット２２０の挿入溝２２５は、中央上部に該当する外部空間と連結されるように形成され、接続ユニット２２０の一端の上部を貫通するケーブル孔２２５ａと接続され、接続突起２１０及び第１ケーブル１０は接続ユニット２２０の上部から挿入溝２２５及びケーブル孔２２５ａを介して接続ユニット２２０の内部に挿入されることができる。
【００６９】
接続ユニット２２０は、第１ケース２３０の内部空間から第１方向５または第２方向６に向かってスライド移動が可能なように結合し、ストッパー２３６、２３７のそれぞれの他端が第１ケース２３０の内部空間に移動すると、ストッパー２３６、２３７のそれぞれの他端に当接することにより、第２方向６へのスライド移動が制限される。
【００７０】
ストッパー２３６、２３７のそれぞれの他端が元の位置に移動すると、接続ユニット２２０は、ストッパー２３６、２３７のそれぞれの内側面に沿って第２方向６に向かってスライド移動することができる。
【００７１】
ストッパー２３６、２３７のそれぞれの他端が第１ケース２３０の内部空間に移動して接続ユニット２２０の第２方向６への移動が制限された状態では、接続突起２１０が挿入溝２２５に容易に挿入される。
【００７２】
接続突起２１０が挿入溝２２５に挿入される過程で、係止段２１２は、接続ユニット２２０の内側面に形成された係止板２２２、２２３、２２４を弾性変形させた後、所定の距離だけ移動し、復元する係止板２２２、２２３、２２４が係止面２１４に当接することにより、接続突起２１０が第１方向５に移動することを制限する。
【００７３】
したがって、当該作業者または使用者は、ストッパー２３６、２３７のそれぞれの他端を押して接続ユニット２２０の移動を制限した状態で接続突起２１０を挿入溝２２５に挿入させて、容易に且つ堅固に接続突起２１０を接続ユニット２２０に結合させることができる。
【００７４】
図３を参照すると、係止板２２２の一端は、接続ユニット２２０の一側上部に長方形状に貫通する側面孔２２２ａの第１方向５側に該当する接続ユニット２２０の外側面に接続され、他端はプレート形状で接続ユニット２２０の内側及び第２方向６に向かって斜めに延びる。
【００７５】
係止板２２３の一端は、接続ユニット２２０の他側上部を長方形状に貫通する側面孔２２３ａの第１方向５側に該当する接続ユニット２２０の内側面に接続され、他端はプレート形状で接続ユニット２２０の内側及び第２方向６に向かって斜めに延びる。
【００７６】
係止板２２４の一端は、接続ユニット２２０の下部を長方形状に貫通する下部孔２２４ａの第１方向５側に該当する接続ユニット２２０の内側面に接続され、他端はプレート形状で接続ユニット２２０の内側及び第２方向６に向かって斜めに延びる。
【００７７】
したがって、図５を参照すると、接続突起２１０が第２方向６に向かって移動して挿入溝２２５に挿入されると、係止段２１２の第２傾斜面２１３が係止板２２２、２２３、２３４のそれぞれの第１方向５側の傾斜面と当接し、係止板２２２、２２３、２２４のそれぞれの他端を第２方向６に向かって弾性移動させる。
【００７８】
係止段２１２の第２傾斜面２１３が係止板２２２、２２３、２２４のそれぞれの第１方向５側の傾斜面を弾性移動させた状態で、所定の距離だけさらに移動すると、係止板２２２、２２３、２２４のそれぞれの他端は、元の位置に移動しながら係止面２１４と当接し、接続突起２１０は接続ユニット２２０に固定される。
【００７９】
一方、当該作業者または使用者は、接続突起２１０を接続ユニット２２０から分離する第１過程で、第２ケース２４０を第１ケース２３０と分離させ、第１方向５に向かってスライド移動させた後、接続突起２１０を第１方向５に向かって引張ることにより接続ユニット２２０を第１ケース２３０の外部に移動させることができる。
【００８０】
そして、接続ユニット２２０を第１ケース２３０から離脱させた状態で、接続突起２１０を所定の距離だけ第２方向６に向かって移動させた後、接続突起２１０を上方に向かって移動させると、挿入溝２２５とケーブル孔２２５ａを介して接続突起２１０及び第１ケーブル１０が接続ユニット２２０と分離される。
【００８１】
図３及び６を参照すると、コネクタ２２６は係止段２２７、２２８、２２９を含む。
【００８２】
コネクタ２２６の一端は、接続ユニット２２０の他端と着脱が可能なように形成され、接続ユニット２２０の他端に形成されて第２ケーブル２０の突出部２１と結合する。
【００８３】
コネクタ２２６の一端は、円筒状に形成され、他端は第２方向６に向かって所定の距離だけ延び、他端外側面の一部分は拡張されて接続ユニット２２０の外側面に接続される。
【００８４】
係止段２２７は、コネクタ２２６の一端の一側の外側面上部から一側に向かって傾斜して突出するように形成され、接続ユニット２２０の第２方向６側の一側の外側面を貫通する側面孔２２７ａに挿入されて固定される。
【００８５】
係止段２２８は、コネクタ２２６の一端の他側の外側面上部から他側に向かって傾斜するように突出して形成され、接続ユニット２２０の第２方向６側の他側の外側面を貫通する側面孔２２８ａに挿入されて固定される。
【００８６】
係止段２２９は、コネクタ２２６の一端の外側面下部から下方に向かって突出するように形成され、接続ユニット２２０の第２方向６側の下部外側面を貫通する側面孔２２９ａに挿入されて固定される。
【００８７】
図７は図１の長さ調節部の斜視図であり、図８は図１の長さ調節部の移動ユニットを示す分解斜視図であり、図９は図７のＩＶ‐ＩＶ´及びＶ‐Ｖ´に沿って切断した断面図である。
【００８８】
図７乃至９に示すように、長さ調節部４００は、移動ユニット４２０、第４ケース４４０、フック４６０を含む。
【００８９】
長さ調節部４００の一端は、第２ケーブル２０を挟んで接続部２００と分離された状態で第２ケーブル２０の他端と第１または第２方向５、６に向かってスライド移動が可能なように結合する。
【００９０】
長さ調節部４００の他端は、第２方向６に向かって所定の距離だけ延びて第３ケーブル３０と結合し、着脱可能なように形成されるフック４６０を介して第２ケーブル２０のスライド移動を制限することができる。
【００９１】
移動ユニット４２０は、付着ユニット４２２、係止段４２４、弾性板４２６、４２７、４２８、４２９を含む。
【００９２】
移動ユニット４２０の一端は、第２ケーブル２０の他端と結合し、他端は第２方向６に向かって円筒状に延び、長さ調節部４００の内部から第１方向５または第２方向６に向かってスライド移動が可能なように形成される。
【００９３】
移動ユニット４２０の一端に隣接した外側面は、外方に向かって拡大するように形成されて係止段４２４を形成し、移動ユニット４２０の中央部外側面には、ねじ山または外側面を囲むリング状の突出部が移動ユニット４２０の延長方向に沿って互いに均一な間隔を置いて離隔された状態で形成される。
【００９４】
移動ユニット４２０の他端には、他端の縁から第２方向６に向かってプレート状に延び、それぞれの先端には係止段が形成される弾性板４２６、４２７、４２８、４２９が互いに分離された状態で形成される。
【００９５】
弾性板４２６、４２７、４２８、４２９のそれぞれの一端は、移動ユニット４２０の他端に接続されて移動ユニット４２０の内側の内部空間を囲み、互いに所定の空間を間に置いて分離されるように形成され、それぞれの他端は第２方向６に向かってプレート状に延びる。
【００９６】
弾性板４２６、４２７、４２８、４２９のそれぞれの他端の一部分は外側に向かって突出して第２方向６及び移動ユニット４２０の内側に向かって延びる傾斜面を形成する係止段がそれぞれ形成され、後述される第４ケース４４０の第１方向５側の孔に挿入される場合、弾性変形しながら第４ケース４４０の内部に挿入される。
【００９７】
第４ケース４４０の一端は、中央に孔が形成される四角形のプレート状に形成され、他端は一端の両側面の一部分が第２方向６に向かって延びた後、互いに向かって延び、第３ケーブル３０と結合するプレート状に形成される。
【００９８】
したがって、第４ケース４４０の内側には上部及び下部に該当する外部空間と連結される直方体状の内部空間が形成され、移動ユニット４２０の他端は、前記孔を通って第４ケース４４０の内部空間に挿入されて第１方向５または第２方向６に向かってスライド移動が可能なように、第４ケース４４０と結合する。
【００９９】
第４ケース４４０の一端の両側面上部には、両側面のそれぞれから第４ケース４４０の内側上部に向かって傾斜するように陥没する据置溝４２２ａ、４２２ｂがそれぞれ形成され、第４ケース４４０の一端の両側面下部には、第４ケース４４０の両側底面の外側一部分が上部に向かって陥没して直方体状の結合溝４２３ａ、４２３ｂがそれぞれ形成される。
【０１００】
具体的に、弾性板４２６、４２７、４２８、４２９のそれぞれの他端に形成される係止段の傾斜面は、移動ユニット４２０が第４ケース４４０に挿入すると、前記孔に位置する第４ケース４４０の内側面に当接しながら内方へ変形し、移動ユニット４２０が第２方向６に向かってさらに移動すると、元の位置に移動する。
【０１０１】
また、移動ユニット４２０の付着ユニット４２２が形成された外側面は、前記孔を通って第１方向５または第２方向６に向かってスライド移動が可能で、係止段４２４が第４ケース４４０の一端に達すると、前記孔の端に該当する第４ケース４４０と当接して移動ユニット４２０の第２方向６への移動を制限する。
【０１０２】
逆に、移動ユニット４２０が外力や車体の振動によって第１方向５に移動すると、弾性板４２６、４２７、４２８、４２９のそれぞれの係止段は、前記孔の端に該当する第４ケース４４０の一端の内側面と当接して移動ユニット４２０が第４ケース４４０と分離されることを防止する。
【０１０３】
したがって、弾性板４２６、４２７、４２８、４２９のそれぞれの係止段はフック４６０が破損、または係着されていない場合、移動ユニット４２０が第４ケース４４０から離脱することによりスイッチ部２の駆動不能を防止し、移動ユニット４２０を第４ケース４４０に取付けたり、接続突起２１０を接続ユニット２２０に結合させる過程で、移動ユニット４２０が第４ケース４４０から離脱することが防止でき、作業における利便性が改善される。
【０１０４】
移動ユニット４２０が、前記孔を通って第４ケース４４０に挿入された状態で、第４ケース４４０の両側の内側面及び付着ユニット４４２の間には挿入空間が形成され、フック４６０の一部分は前記挿入空間に挿入されて付着ユニット４２２と結合する。
【０１０５】
フック４６０は、加圧ユニット４６２と固定板４６４、４６６を含む。
【０１０６】
加圧ユニット４６２は、フック４６０の中央から下方に向かって両側に分かれて延び、移動ユニット４２０の外側面に形成された付着ユニット４２２の上部及び両側面の一部分を囲みながら付着ユニット４２２と当接するように形成される。
【０１０７】
加圧ユニット４６２の内側面には、付着ユニット４２２に形成することができる前記ねじ山または突出部と噛み合うねじ山または突出部が形成され、加圧ユニット４６２の内側面が付着ユニット４２２と当接しながら付着ユニット４２２と堅固に結合し、フック４６０を上方に向かって移動させると、容易に付着ユニット４２２及び加圧ユニット４６２の着脱が可能となる。
【０１０８】
加圧ユニット４６２の外側面には、ねじ山または突出部が形成され、加圧ユニット４６２の外側面に当接する第４ケース４４０の内側面に形成されたねじ山または突出部と噛み合い、フック４６０を上方に向かって移動させると、加圧ユニット４６２は、第４ケース４４０の内側面と容易に分離される。
【０１０９】
固定板４６６は、加圧ユニット４６２の一側に離隔された状態で下方に向かって延び、下部の先端の一部分は、加圧ユニット４６２の他側に向かって突出して加圧ユニット４６２が移動ユニット４２０と結合した状態で結合溝４２３ａに挿入し、固定される。
【０１１０】
固定板４６６の下部の外側面の一部分は、外側下部に向かって傾斜するように延びて取っ手が形成され、使用者は取っ手を外側に引張って固定板４６６を結合溝４２３ａから容易に分離させることができる。
【０１１１】
固定板４６４は、加圧ユニット４６２の他側に離隔された状態で下部に向かって延び、下部の先端の一部分は、加圧ユニット４６２の一側に向かって突出して加圧ユニット４６２が移動ユニット４２０と結合した状態で結合溝４２３ｂに挿入及び固定される。
【０１１２】
固定板４６４の下部の外側面の一部分は、外側下部に向かって傾斜するように延びて取っ手が形成され、使用者は取っ手を外側に引張って固定板４６４を結合溝４２３ｂから分離させることができる。
【０１１３】
したがって、フック４６０が移動ユニット４２０及び第４ケース４４０と結合すると、結合溝４２３ａ、４２３ｂに位置する第４ケース４４０の第１方向５側の内側面によって固定板４６４、４６６の第２方向６への移動が制限され、移動ユニット４２０もまた第２方向６への移動が制限される。
【０１１４】
また、フック４６０が移動ユニット４２０及び第４ケース４４０と結合すると、フック４６０の第１方向５側の加圧ユニット４６２の表面は、前記挿入空間で第４ケース４４０の前記孔の縁の部分に該当する第４ケース４４０の一端の内側面と当接するため、フック４６０の第１方向５に向かう移動が制限される。
【０１１５】
一方、固定板４６４、４６６が結合溝４２３ａ、４２３ｂのそれぞれから離脱して上方に向かって移動すると、据置溝４２２ａ、４２２ｂのそれぞれに挿入されることができ、この場合、フック４６０は、第４ケース４４０の一端の上部に仮固定されることにより紛失が防止でき、移動ユニット４２０の移動で第２ケーブル２０の位置が調整されると、速やかにフック４６０を下方に向かって移動させて移動ユニット４２０の位置を固定させることができる。
【０１１６】
スプリング４７０の一端は、移動ユニット４２０の他端を貫通して移動ユニット４２０の内部で第２ケーブル２０を囲む外皮２２と結合し、他端は移動ユニット４２０の他端を経て第４ケース４４０の他端の内側面と結合する。
【０１１７】
スプリング４７０の弾性力は、結合した移動ユニット４２０を第２方向６に向かって引張るように形成され、接続突起２１０が接続ユニット２２０と結合すると、自動的に第２ケーブル２０を第２方向６に向かって引張って接続された第１及び第２ケーブル１０、２０の張力を維持する。
【０１１８】
以上、添付の図面に基づいて本発明の好適な実施形態を説明したが、本明細書に記載の実施形態と図面に示した構成は、本発明の最も好適な一実施形態に過ぎず、本発明の技術的思想をすべて代弁するものではないため、本出願時点において、これらを代替することができる多様な均等物と変形例があり得ることを理解しなければならない。したがって、上述した実施形態はすべての面で例示的なものであり、限定的なものではないものとして理解されなければならず、本発明の範囲は、詳細な説明よりは、後述する特許請求範囲によって示され、特許請求範囲の意味及び範囲、そしてその等価概念から導き出されるすべての変更または変形された形態が本発明の範囲に含まれるものと解釈されなければならない。
【符号の説明】
【０１１９】
１００  ケーブル接続装置
２００  接続部
２１０  接続突起
２２０  接続ユニット
２２２、２２３、２２４  係止板
２２５  挿入溝
２２６  コネクタ
２２７、２２８  係止段
２３０  第１ケース
２４０  第２ケース
２６０  第３ケース
４００  長さ調節部
４２０  移動ユニット
４４０  第４ケース
４６０  フック
【図１】
2020143787.tif 000003
【図２】
2020143787.tif 000004
【図３】
2020143787.tif 000005
【図４】
2020143787.tif 000006
【図５】
2020143787.tif 000007
【図６】
2020143787.tif 000008
【図７】
2020143787.tif 000009
【図８】
2020143787.tif 000010
【図９】
2020143787.tif 000011